(57)【特許請求の範囲】
【請求項１】
変調された情報データに応じた形状が形成された基板と、基板上に追記可能な反射膜を有する光ディスク媒体において、
上記変調された情報データを生成する際に部分的に無変調区間が設けられ、上記無変調区間に対して上記変調された情報データと同一の変調方法で変調された所定の追記情報が上記反射膜への記録によって記録された光ディスク媒体。
【請求項２】
請求項１において、
上記情報データが主たる情報である光ディスク媒体。
【請求項３】
請求項１において、
上記情報データが制御用の副次的情報である光ディスク媒体。
【請求項４】
請求項１において、
上記追記情報がディスク識別情報である光ディスク媒体。
【請求項５】
最小反転間隔および最大反転間隔が規定された変調方法によって変調された情報データに応じた形状が形成された基板と、基板上に追記可能な反射膜を有する光ディスク媒体において、
記録済みの所定の情報データに対して、上記最小反転間隔および最大反転間隔の規定に反しないように、上記変調された情報データと同一の変調方法で変調された所定の追記情報が上記反射膜への記録によって記録された光ディスク媒体。
【請求項６】
請求項５において、
上記情報データが主たる情報である光ディスク媒体。
【請求項７】
請求項５において、
上記情報データが制御用の副次的情報である光ディスク媒体。
【請求項８】
請求項５において、
上記追記情報がディスク識別情報である光ディスク媒体。
【請求項９】
最小反転間隔および最大反転間隔が規定された変調方法によって変調された情報データに応じた形状が形成された基板と、基板上に追記可能な反射膜を有する光ディスク媒体において、
記録済みの情報データの所定の区間において、上記最小反転間隔および最大反転間隔の規定が満たされなくなるように、所定の追記情報が上記反射膜への記録によって記録された光ディスク媒体。
【請求項１０】
請求項９において、
上記所定の区間において、上記最小反転間隔および最大反転間隔の規定が満たされなくなる部分と、上記規定が満たされる部分との組合せによって上記追記情報が表されている光ディスク媒体。
【請求項１１】
請求項９において、
上記情報データが主たる情報である光ディスク媒体。
【請求項１２】
請求項９において、
上記情報データが制御用の副次的情報である光ディスク媒体。
【請求項１３】
請求項９において、
上記追記情報がディスク識別情報である光ディスク媒体。
【請求項１４】
最小反転間隔および最大反転間隔が規定された変調方法によって変調された情報データに応じた形状が形成された基板と、基板上に追記可能な反射膜を有する光ディスク媒体において、
所定の区間において、上記最小反転間隔および最大反転間隔の規定に反するエラー情報が記録された後に、追記情報に応じて上記規定を満たすように、上記エラー情報を修正する情報が上記反射膜への記録によって記録された光ディスク媒体。
【請求項１５】
請求項１４において、
上記所定の区間において、上記エラー情報が記録されている部分と、上記エラー情報を修正する情報が記録されている部分との組合せによって上記追記情報が表されている光ディスク媒体。
【請求項１６】
請求項１４において、
上記情報データが主たる情報である光ディスク媒体。
【請求項１７】
請求項１４において、
上記情報データが制御用の副次的情報である光ディスク媒体。
【請求項１８】
請求項１４において、
上記追記情報がディスク識別情報である光ディスク媒体。
【請求項１９】
最小反転間隔および最大反転間隔が規定された変調方法によって変調された情報データに応じた形状が形成された基板と、基板上に追記可能な反射膜を有する光ディスク媒体において、
所定の場所に既知のデータが記録され、上記最小反転間隔および最大反転間隔の規定を満たすように、追記情報に応じて上記反射膜への記録を行うことによって上記既知のデータの一部のみが書き換えられた光ディスク媒体。
【請求項２０】
請求項１９において、
上記情報データが主たる情報である光ディスク媒体。
【請求項２１】
請求項１９において、
上記情報データが制御用の副次的情報である光ディスク媒体。
【請求項２２】
請求項１９において、
上記追記情報がディスク識別情報である光ディスク媒体。
【請求項２３】
変調された情報データに応じた形状が形成された基板と、基板上に追記可能な反射膜を有する光ディスク媒体を作成するための記録方法において、
上記変調された情報データを生成する際に部分的に無変調区間が設けられ、上記無変調区間に対して上記変調された情報データと同一の変調方法で変調された所定の追記情報を上記反射膜への記録によって記録するデータ記録方法。
【請求項２４】
最小反転間隔および最大反転間隔が規定された変調方法によって変調された情報データに応じた形状が形成された基板と、基板上に追記可能な反射膜を有する光ディスク媒体を作成するための記録方法において、
記録済みの所定の情報データに対して、上記最小反転間隔および最大反転間隔の規定に反しないように、上記変調された情報データと同一の変調方法で変調された所定の追記情報を上記反射膜への記録によって記録するデータ記録方法。
【請求項２５】
最小反転間隔および最大反転間隔が規定された変調方法によって変調された情報データに応じた形状が形成された基板と、基板上に追記可能な反射膜を有する光ディスク媒体を作成するための記録方法において、
記録済みの情報データの所定の区間において、上記最小反転間隔および最大反転間隔の規定が満たされなくなるように、所定の追記情報を上記反射膜への記録によって記録するデータ記録方法。
【請求項２６】
最小反転間隔および最大反転間隔が規定された変調方法によって変調された情報データに応じた形状が形成された基板と、基板上に追記可能な反射膜を有する光ディスク媒体を作成するための記録方法において、
所定の区間において、上記最小反転間隔および最大反転間隔の規定に反するエラー情報を記録した後に、追記情報に応じて上記規定を満たすように、上記エラー情報を修正する情報を上記反射膜への記録によって記録するデータ記録方法。
【請求項２７】
最小反転間隔および最大反転間隔が規定された変調方法によって変調された情報データに応じた形状が形成された基板と、基板上に追記可能な反射膜を有する光ディスク媒体を作成するための記録方法において、
所定の場所に既知のデータを記録し、上記最小反転間隔および最大反転間隔の規定を満たすように、追記情報に応じて上記反射膜への記録を行うことによって上記既知のデータの一部のみを書き換えるデータ記録方法。
【請求項２８】
変調された情報データに応じた形状が形成された基板と、基板上に追記可能な反射膜を有する光ディスク媒体を作成するための記録装置において、
上記変調された情報データを生成する際に部分的に無変調区間が設けられ、上記無変調区間に対して上記変調された情報データと同一の変調方法で変調された所定の追記情報を上記反射膜への記録によって記録するデータ記録装置。
【請求項２９】
最小反転間隔および最大反転間隔が規定された変調方法によって変調された情報データに応じた形状が形成された基板と、基板上に追記可能な反射膜を有する光ディスク媒体を作成するための記録装置において、
記録済みの所定の情報データに対して、上記最小反転間隔および最大反転間隔の規定に反しないように、上記変調された情報データと同一の変調方法で変調された所定の追記情報を上記反射膜への記録によって記録するデータ記録装置。
【請求項３０】
最小反転間隔および最大反転間隔が規定された変調方法によって変調された情報データに応じた形状が形成された基板と、基板上に追記可能な反射膜を有する光ディスク媒体を作成するための記録装置において、
記録済みの情報データの所定の区間において、上記最小反転間隔および最大反転間隔の規定が満たされなくなるように、所定の追記情報を上記反射膜への記録によって記録するデータ記録装置。
【請求項３１】
最小反転間隔および最大反転間隔が規定された変調方法によって変調された情報データに応じた形状が形成された基板と、基板上に追記可能な反射膜を有する光ディスク媒体を作成するための記録装置において、
所定の区間において、上記最小反転間隔および最大反転間隔の規定に反するエラー情報を記録した後に、追記情報に応じて上記規定を満たすように、上記エラー情報を修正する情報を上記反射膜への記録によって記録するデータ記録装置。
【請求項３２】
最小反転間隔および最大反転間隔が規定された変調方法によって変調された情報データに応じた形状が形成された基板と、基板上に追記可能な反射膜を有する光ディスク媒体を作成するための記録装置において、
所定の場所に既知のデータを記録し、上記最小反転間隔および最大反転間隔の規定を満たすように、追記情報に応じて上記反射膜への記録を行うことによって上記既知のデータの一部のみを書き換えるデータ記録装置。
【発明の詳細な説明】
【技術分野】
【０００１】
この発明は、例えば読み出し専用（ＲＯＭ）タイプの光ディスクに対して適用される光ディスク媒体、データ記録方法および装置に関する。
【背景技術】
【０００２】
今日広く普及しているコンパクトディスク（Ｃｏｍｐａｃｔ Ｄｉｓｃ；ＣＤ）の規格は、コンパクトディスクオーディオと呼ばれ、規格書（Ｒｅｄ Ｂｏｏｋ）に記載の規格に基づくものである。この規格書を基礎として、ＣＤ−ＲＯＭをはじめとする、種々のフォーマットが規格化され、所謂ＣＤファミリーが構成されている。以下の説明では、単にＣＤと称した場合には、ＣＤファミリーに含まれる各種のフォーマットのディスクを総称するものとする。ＣＤ等の光ディスクは、音楽データ、動画像データ、ゲームやコンピュータのアプリケーションプログラム等を記録する記録媒体として、多方面で利用されている。
【０００３】
光ディスクの従来の作成工程をＣＤの場合を例に説明する。第１０図は、ＣＤに適用される光ディスク作成システムの構成図である。ＣＤの作成工程は、大きく分けて、光ディスク原盤をレーザビームによって作成するマスタリング装置と、光ディスク原盤から作成されたスタンパーを使用して多数のディスク基板を作成し、ディスク基板上に膜を形成する成形成膜装置とからなる。
【０００４】
光ディスク原盤３２０を作成するマスタリング装置は、ＥＦＭ信号送出装置５００とレーザビーム・レコーダ６００とからなる。成形成膜装置７００は、光ディスク原盤３２０から作成されたスタンパー３３０からディスク基板を成形し、ディスク基板上に被覆膜例えば反射膜を成膜して記録済み光ディスク３６０を作成する。ＥＦＭ信号送出装置５００は、記録する情報データをマスターの光ディスク３１０から読み込み、読み込み信号をＥＦＭ（Ｅｉｇｈｔ ｔｏ Ｆｏｕｒｔｅｅｎ Ｍｏｄｕｌａｔｉｏｎ）変調して生成したＥＦＭ信号をレーザビーム・レコーダ６００へ出力する。光ディスク原盤３２０は、ガラス板に感光物質であるフォトレジストが塗布されたものである。レーザビーム・レコーダ６００は、ＥＦＭ信号に応じてレーザ光を光ディスク原盤３２０に照射する。フォオトレジスト膜が現像処理され、ポジ形レジストの場合では、感光された箇所が溶け、凹凸パターンがフォトレジスト膜上に形成され、所定のフォーマットに従ったピット列が光ディスク原盤３２０表面に形成される。
【０００５】
続いて、光ディスク原盤３２０に基づき、この光ディスク原盤３２０のピットパターンが反転転写されたスタンパー３３０と称される金型が製作される。成形成膜装置７００は、このスタンパー３３０を用いてディスク基板を作成し、さらに、反射膜等の被覆膜および保護膜がディスク基板に被着されることによって、記録済み光ディスク３６０が複製される。ディスク基板には光ディスク原盤３２０に形成された凹凸パターンが転写されてピットパターンが形成される。ディスク基板の作成方法としては、圧縮成形、射出成形、光硬化法等が知られている。
【０００６】
従来の光ディスク作成システムで作成された記録済みの光ディスク３６０は、記録可能な膜ではなく、被覆膜として反射膜が被着されているものであり、読み出し専用タイプであって、作成された後に追加情報を記録することができなかった。
【０００７】
近年では、所定の情報データを記録した記録済み光ディスク３６０の管理等のために、記録済み光ディスク３６０に１枚ごとにユニークな識別番号等の追加情報を記録する方法が要望されている。しかしながら、記録済み光ディスク３６０は、上述した作成工程によって製作されるため、成形成膜装置７００によって処理された後の既に所定の情報データが記録された記録済み光ディスク３６０に対して、記録済みの情報データに影響を与えずに追加情報を記録することは難しかった。
【０００８】
このため、従来の記録済み光ディスクに識別番号等の追加情報を記録する方式として提案されている方法は、いずれもが主信号の記録変調方式とは異なった方式で追加情報を記録する方法を採用している。しかしながら、これらの方法で追加情報が記録された記録済み光ディスク３６０は、専用の読み取り機能を持ったドライブ以外で読み出すことができず、既存のドライブでは、追加情報が読めず、互換性が乏しい問題があった。
【０００９】
また、ＤＶＤ−ＲＯＭには、ＢＣＡ（Ｂｕｒｓｔ Ｃｕｔｔｉｎｇ Ａｒｅａ）が定義されており、ここへ追加情報を記録することができる。しかしながら、これは主信号（ＥＦＭ＋変調）部とは別領域として設けられており、専用の読み取り機能を持ったドライブ以外で読み込むことができなかった。また、ＢＣＡはＤＶＤ−Ｖｉｄｅｏ等には適用されていない。
【発明の開示】
【発明が解決しようとする課題】
【００１０】
このように、従来規格のＣＤ、ＭＤ、あるいはＤＶＤ−ＲＯＭを除くＤＶＤディスク等の光ディスクは、一旦記録が行なわれた後に識別情報等の追加情報を記録することができなかった。
【００１１】
この発明は目的は、このような点に鑑みてなされたものであり、記録済みの光ディスクに従来規格に基づいて追加情報が記録された光ディスク媒体、データ記録方法および装置を提供することにある。
【課題を解決するための手段】
【００１２】
上述した課題を解決するために、この発明は、変調された情報データに応じた形状が形成された基板と、基板上に追記可能な反射膜を有する光ディスク媒体において、
変調された情報データを生成する際に部分的に無変調区間が設けられ、無変調区間に対して変調された情報データと同一の変調方法で変調された所定の追記情報が反射膜への記録によって記録された光ディスク媒体である。
【００１３】
この発明は、最小反転間隔および最大反転間隔が規定された変調方法によって変調された情報データに応じた形状が形成された基板と、基板上に追記可能な反射膜を有する光ディスク媒体において、
記録済みの所定の情報データに対して、最小反転間隔および最大反転間隔の規定に反しないように、変調された情報データと同一の変調方法で変調された所定の追記情報が反射膜への記録によって記録された光ディスク媒体である。
【００１４】
この発明は、最小反転間隔および最大反転間隔が規定された変調方法によって変調された情報データに応じた形状が形成された基板と、基板上に追記可能な反射膜を有する光ディスク媒体において、
記録済みの情報データの所定の区間において、最小反転間隔および最大反転間隔の規定が満たされなくなるように、所定の追記情報が反射膜への記録によって記録された光ディスク媒体である。
【００１５】
この発明は、最小反転間隔および最大反転間隔が規定された変調方法によって変調された情報データに応じた形状が形成された基板と、基板上に追記可能な反射膜を有する光ディスク媒体において、
所定の区間において、最小反転間隔および最大反転間隔の規定に反するエラー情報が記録された後に、追記情報に応じて規定を満たすように、エラー情報を修正する情報が反射膜への記録によって記録された光ディスク媒体である。
【００１６】
この発明は、最小反転間隔および最大反転間隔が規定された変調方法によって変調された情報データに応じた形状が形成された基板と、基板上に追記可能な反射膜を有する光ディスク媒体において、
所定の場所に既知のデータが記録され、最小反転間隔および最大反転間隔の規定を満たすように、追記情報に応じて反射膜への記録を行うことによって既知のデータの一部のみが書き換えられた光ディスク媒体である。
【００１７】
この発明は、変調された情報データに応じた形状が形成された基板と、基板上に追記可能な反射膜を有する光ディスク媒体を作成するための記録方法において、
変調された情報データを生成する際に部分的に無変調区間が設けられ、無変調区間に対して変調された情報データと同一の変調方法で変調された所定の追記情報を反射膜への記録によって記録するデータ記録方法である。また、この発明は、無変調区間に対して所定の追記情報を反射膜への記録によって記録するデータ記録装置である。
【００１８】
この発明は、最小反転間隔および最大反転間隔が規定された変調方法によって変調された情報データに応じた形状が形成された基板と、基板上に追記可能な反射膜を有する光ディスク媒体を作成するための記録方法において、
記録済みの所定の情報データに対して、最小反転間隔および最大反転間隔の規定に反しないように、変調された情報データと同一の変調方法で変調された所定の追記情報を反射膜への記録によって記録するデータ記録方法である。また、この発明は、所定の追記情報を反射膜への記録によって記録するデータ記録装置である。
【００１９】
この発明は、最小反転間隔および最大反転間隔が規定された変調方法によって変調された情報データに応じた形状が形成された基板と、基板上に追記可能な反射膜を有する光ディスク媒体を作成するための記録方法において、
記録済みの情報データの所定の区間において、最小反転間隔および最大反転間隔の規定が満たされなくなるように、所定の追記情報を反射膜への記録によって記録するデータ記録方法である。また、この発明は、最小反転間隔および最大反転間隔の規定が満たされなくなるように、所定の追記情報を反射膜への記録によって記録するデータ記録装置である。
【００２０】
この発明は、最小反転間隔および最大反転間隔が規定された変調方法によって変調された情報データに応じた形状が形成された基板と、基板上に追記可能な反射膜を有する光ディスク媒体を作成するための記録方法において、
所定の区間において、最小反転間隔および最大反転間隔の規定に反するエラー情報を記録した後に、追記情報に応じて規定を満たすように、エラー情報を修正する情報を反射膜への記録によって記録するデータ記録方法である。また、この発明は、エラー情報を記録した後に、追記情報に応じて規定を満たすように、エラー情報を修正する情報を反射膜への記録によって記録するデータ記録装置である。
【００２１】
この発明は、最小反転間隔および最大反転間隔が規定された変調方法によって変調された情報データに応じた形状が形成された基板と、基板上に追記可能な反射膜を有する光ディスク媒体を作成するための記録方法において、
所定の場所に既知のデータを記録し、最小反転間隔および最大反転間隔の規定を満たすように、追記情報に応じて反射膜への記録を行うことによって既知のデータの一部のみを書き換えるデータ記録方法である。また、この発明は、追記情報に応じて反射膜への記録を行うことによって既知のデータの一部のみを書き換えるデータ記録装置である。
【００２２】
以上説明したようにこの発明の光ディスク作成システムでは、成形成膜装置において作成された記録済み光ディスクに対して、情報データのフォーマットと同様に変調された追記情報を記録することができる。このようにこの発明によれば、既存のものと同様の光ディスク生産工程により生成された記録済み光ディスクに対して追記情報を記録することが可能となる。追記情報は任意とすることができるため、例えば、光ディスクに識別情報を追記することができる。この結果、光ディスクの用途が広がる。この発明によれば、現行の光ディスク生産工程を変更することを必要としない利点がある。さらに、追記された情報は、再生機の改造や特殊回路なしに読み出すことが可能であり、互換性を損なわない利点がある。
【発明を実施するための最良の形態】
【００２３】
以下、この発明の一実施例について図面を参照して説明する。なお、以下に述べる実施例は、この発明の好適な具体例であるから、技術的に好ましい種々の限定が付されているが、この発明の範囲は、以下の説明において特にこの発明を限定する記載がない限り、これらの形態に限られたものではない。
【００２４】
第１図は、この発明が適用された光ディスク作成システムの構成図である。この発明に係る光ディスク作成工程は、大きく分けて、光ディスク原盤をレーザビームによって作成するマスタリング工程と、光ディスク原盤から作成されたスタンパーを使用して多数のディスク基板を作成し、ディスク基板上に膜を形成する成形成膜工程と、追記工程とからなる。
【００２５】
光ディスク原盤３２０を作成するマスタリング装置は、ＥＦＭ信号送出装置５００とレーザビーム・レコーダ６００とからなる。成形成膜装置７００は、光ディスク原盤３２０から作成されたスタンパー３３０からディスク基板を成形し、ディスク基板上に被覆膜例えば反射膜を成膜して記録済み光ディスク３６０を作成する。追記装置２００は、成形成膜装置７００で作成された光ディスク３４０に対して追記情報を追記する。
【００２６】
光ディスク原盤３２０は、ガラス板に感光物質であるフォトレジストが塗布されたものである。レーザビーム・レコーダ６００は、変調信号送出装置１００からの信号に応じてレーザ光を光ディスク原盤３２０に照射する。フォトレジスト膜が現像処理され、ポジ形レジストの場合では、感光された箇所が溶け、凹凸パターンがフォトレジスト膜上に形成され、所定のフォーマットに従ったピット列、グルーブ等が光ディスク原盤３２０表面に形成される。
【００２７】
続いて、光ディスク原盤３２０に基づき、この光ディスク原盤３２０のピットパターンが反転転写されたスタンパー３３０と称される金型が製作される。成形成膜装置７００は、このスタンパー３３０を用いてディスク基板を成形し、さらに、被覆膜および保護膜がディスク基板に被着されることによって、記録済み光ディスク３４０が作成される。ディスク基板には光ディスク原盤３２０に形成された凹凸パターンが転写されてピットパターンが形成される。ディスク基板の作成方法としては、圧縮成形、射出成形、光硬化法等が知られている。変調信号送出装置１００は、光ディスクに記録する情報データをマスターの光ディスク３１０から読み込んで再生する記録情報再生部１１０と、再生された情報データを所定のフォーマットの変調データに変換する変調情報生成部１２０と、変調データ情報を記憶する変調情報記憶部１３０と、変調信号を出力する変調信号出力部１４０とから構成される。
【００２８】
記録情報再生部１１０は、マスターの光ディスク３１０に記録された所定の情報データを全領域にわたって順次再生し、再生した情報データを変調情報生成部１２０へ送る。マスターの光ディスク３１０は、ＣＤ−Ｒ等のマスターメディア（情報源）であり、光ディスク原盤３２０に記録する所定の情報データが記録されている。所定の情報データは、音楽データ、映像データ、あるいは、プログラム等の任意の情報データである。記録情報再生部１１０は、例えばエラー訂正符号化の符号化処理を行う。
【００２９】
変調情報生成部１２０は、再生された情報データを予め決められた所定のフォーマットのデータへ変換し、さらに、所定のディジタル変調処理を行う。例えばＣＤのデータフォーマットのデータが生成され、ＥＦＭ変調がデータに施される。生成された変調データが変調情報記憶部１３０に記憶されると共に、変調信号出力部１４０に出力される。変調データは、所定のフォーマットの１／０のビットパターンのデータである。また、変調情報生成部１２０は、必要に応じて、追記を行なう領域の指定等の追記に関する追記関連情報４１０が参照される。
【００３０】
変調情報記憶部１３０は、変調情報生成部１２０により生成された変調データを記憶する。変調信号出力部１４０は、変調情報生成部１２０の生成した変調データを所定のクロックで出力することにより変調信号を生成し、レーザビーム・レコーダ６００へ出力する。
【００３１】
レーザビーム・レコーダ６００は、変調信号送出装置１００からの変調信号に基づいてレーザ光の強度を変調して光ディスク原盤３２０に照射し、情報データを記録する。この光ディスク原盤３２０に基づき、スタンパー３３０が製作される。
【００３２】
成形成膜装置７００は、このスタンパー３３０を用いて情報データが記録された記録済み光ディスク３４０を複製する。記録済み光ディスク３４０は、このように情報データは記録済みであるが、追記情報がまだ記録されていない状態の光ディスクである。
【００３３】
追記装置２００は、追記関連情報４１０あるいは変調データを記憶する変調情報記憶部２１０と、追記の制御を行なう追記制御部２２０と、追記制御部２２０に従って光ディスク３４０に追記を施す追記部２３０とから構成される。
【００３４】
変調情報記憶部２１０は、変調信号送出装置１００が用いた追記関連情報４１０、あるいは変調信号送出装置１００により生成された変調データを記憶する記憶部である。追記制御部２２０は、追記関連情報４１０あるいは変調データに基づいて、追記情報４２０を記録する領域を算出するとともに、この領域に追記情報４２０を追記する制御を行なう。追記部２３０は、追記制御部２２０に従って、光ディスク３４０に高出力のレーザビームを照射することによって追記情報４２０を記録し、追記情報４２０が記録された光ディスク３５０が作成される。追記情報４２０は、例えば光ディスク３４０に関する情報等、任意の情報である。追記装置２００では、光ディスク３４０ごとに追記情報４２０を変更することも可能であり、例えば光ディスク３４０のそれぞれを識別可能にするユニークな識別情報を追記することもできる。
【００３５】
このような構成の光ディスク作成システムの動作および光ディスク作成方法について説明する。
【００３６】
変調信号送出装置１００では、記録情報再生部１１０は、マスターの光ディスク３１０に記録された情報データを再生して変調情報生成部１２０へ送る。変調情報生成部１２０は、必要に応じて追記関連情報４１０を参照し、再生された情報データを所定のフォーマットに変換し、変調データを生成する。変調データは、変調情報記憶部１３０に記憶されるとともに、変調信号出力部１４０に送られ、変調信号としてレーザビーム・レコーダ６００へ出力される。
【００３７】
レーザビーム・レコーダ６００は、変調信号に応じてレーザ光を光ディスク原盤３２０のフォトレジストに照射する。続いて、光ディスク原盤３２０を現像し、感光パターンに基づいてスタンパー３３０が製作される。成形成膜装置７００は、スタンパー３３０を用いてディスク基板を成形し、さらに、ディスク基板上に成膜を行うことによって光ディスク３４０を作成する。ここまでの工程で、情報データが記録された光ディスク３４０が製作される。
【００３８】
続く、追記装置２００では、変調情報記憶部２１０に予め変調信号送出装置１００が用いた追記関連情報４１０、あるいは変調信号データパターンが記憶されている。追記制御部２２０は、追記関連情報４１０あるいは変調データに基づいて、追記情報４２０を記録する領域を算出し、この領域に追記情報４２０を追記するように追記部２３０を制御する。追記部２３０は、追記制御部２２０に従って、追記情報４２０のデータに応じて強度が変調されたレーザビームを光ディスク３４０に照射し、それによって、追記情報が記録された光ディスク３５０が製作される。
【００３９】
上述したように、変調信号送出装置１００側では、必要に応じて追記関連情報４１０を参照するが、従来と同様の変調処理により変調信号を生成する。この変調信号に基づいて光ディスク３４０が製作される。追記装置２００では、追記関連情報４１０あるいは変調データに応じて追記情報４２０を記録する領域を算出して追記情報４２０を記録する。追記情報４２０は、任意に設定することができるため、従来の変調方式の記録済み光ディスクに個別の識別情報を入れることが可能となる。このように、従来では困難とされていた識別情報等の追記情報を記録済みの光ディスクに対して記録することができるようになり、光ディスクの用途を広げることができる。
【００４０】
また、追記される追記情報は従来のフォーマットで記録されるため、再生機（プレイヤー、ドライブ等）の改造や特殊回路なしに読み出すことができる。さらに、現行の光ディスク生産の工程を変更することなく、追記装置を追加することで、追記が可能となる。
【００４１】
次に、具体的な追記情報の記録方法について、ＣＤの例を用いて説明する。第２図は、ＣＤの１フレームのデータ構成を示す。ＣＤでは、２チャンネルのディジタルオーディオデータ合計１２サンプル（２４シンボル）から各４シンボルのパリティＱおよびパリティＰが形成される。この合計３２シンボルに対してサブコードの１シンボルを加えた３３シンボル（２６４データビット）をひとかたまりとして扱う。つまり、ＥＦＭ変調後の１フレーム内に、１シンボルのサブコードと、２４シンボルのデータと、４シンボルのＱパリティと、４シンボルのＰパリティとからなる３３シンボルが含まれる。
【００４２】
ＥＦＭでは、各シンボル（８データビット）が１４チャンネルビットへ変換される。ＥＦＭ変調の最小反転間隔（記録信号の１と１との間の０の数が最小となる反転間隔）Ｔｍｉｎが３Ｔであり、３Ｔに相当するピット長が０．８７μｍとなる。Ｔに相当するピット長が最短ピット長である。最大反転間隔（記録信号の１と１との間の０の数が最大となる反転間隔）Ｔｍａｘが１１Ｔである。また、１４ビット同士を接続する場合でも、上述したＴｍｉｎ＝３Ｔ、Ｔｍａｘ＝１１Ｔのランレングスリミット条件を満たすために各１４チャンネルビットの間には、３ビットのマージンビット（結合ビットとも称される）が配される。マージンビットとして、（０００）、（００１），（０１０），（１００）の４種類のパターンが用意されている。さらに、フレームの先頭にフレームシンクパターンが付加される。フレームシンクパターンは、チャンネルビットの周期をＴとする時に、１１Ｔ、１１Ｔおよび２Ｔが連続するパターンとされている。このようなパターンは、ＥＦＭ変調規則では、生じることがないもので、特異なパターンによってフレームシンクを検出可能としている。１フレームは、総ビット数が５８８チャンネルビットからなるものである。フレーム周波数は、７．３５ｋＨｚとされている。
【００４３】
このようなフレームを９８個集めたものは、サブコードフレーム（またはサブコードブロック）と称される。９８個のフレームを縦方向に連続するように並べ換えて表したサブコードフレームは、サブコードフレームの先頭を識別するためのフレーム同期部と、サブコード部と、データおよびパリティ部とからなる。なお、このサブコードフレームは、通常のＣＤの再生時間の１／７５秒に相当する。
【００４４】
このサブコード部は、９８個のフレームから形成される。サブコード部における先頭の２フレームは、それぞれ、サブコードフレームの同期パターンであるとともに、ＥＦＭのアウトオブルール（ｏｕｔ ｏｆ ｒｕｌｅ）のパターンである。また、サブコード部における各ビットは、それぞれ、Ｐ，Ｑ，Ｒ，Ｓ，Ｔ，Ｕ，Ｖ，Ｗチャンネルを構成する。
【００４５】
次に、この発明に係る追記情報の記録方法のいくつかの例について順次説明する。
【００４６】
第１の追記情報の記録方法は、変調信号送出装置において情報データの変調時に変調信号の任意の区間に無変調区間を設けた変調信号を生成して光ディスクを製作し、追記装置において無変調区間に追記情報を記録する方法である。
【００４７】
第３図は、この発明に係る第１の追記情報記録方法を説明するものである。
【００４８】
変調信号送出装置１００では、変調データ（以下、ＥＦＭ信号と適宜称する）に挿入する無変調区間に関する情報を追記関連情報４１０より取得する。ＥＦＭデータのどこに無変調区間を挿入するか、あるいは、無変調区間をいくつ挿入するかということは任意であり、特定はされない。ただし、無変調区間が挿入された光ディスク３４０がトラッキングサーボできる程度、すなわち連続した無変調区間がトラッキングサーボの帯域以下となるように設定する。このトラッキングの方法は、特に限定されない。
【００４９】
第３図の例では、ＥＦＭ変調前では、８ビットで、変調後では１４チャンネルビットのサブコーディング部を無変調区間としている。無変調区間は、同期パターンを除くサブコーディング部およびデータ部の任意の箇所に設けることができる。また、ある一定間隔、あるいはランダムな間隔で無変調区間を複数設けるとしてもよい。変調情報生成部１２０は、このような追記関連情報４１０に従って、ＥＦＭデータパターンの一部に無変調区間を設けたＥＦＭ信号を生成し、レーザビーム・レコーダ６００へ出力する。レーザビーム・レコーダ６００へ出力するＥＦＭ信号、すなわち、光ディスク原盤３２０に記録されるＥＦＭ信号の波形は、サブコーディング部の信号レベルが０となる。これに応じて製作される光ディスク３４０は、無変調区間であるサブコーディング部にピットが存在しない。すなわち、全てランド領域となる。
【００５０】
追記装置２００では、追記関連情報４１０を取得して変調情報記憶部２１０に記憶しておく。追記制御部２２０は、追記情報４２０にＥＦＭ変調を施し、そのＥＦＭ信号がサブコーディング部に相当する区間に記録されるように、高出力のレーザを発する追記部２３０を制御して、サブコーディング部にピットを形成する。第３図において斜線で表されたピットが追記情報により形成されたピットである。追記装置２００により追記が行なわれた製品の光ディスク３５０は、サブコーディング部に相当する区間に追記情報４２０の変調信号が記録されている。
【００５１】
第３図の例では、追記後の１４チャンネルビットのパターンが（０１００１０００１００１００）となる。なお、チャンネルビットの１の位置でＥＦＭ信号のレベルが反転する。この１４チャンネルビットは、４０ｈの８ビットのシンボルをＥＦＭ変調して得られるものである。ｈは、１６進表記を意味し、８ビットのパターンが（０１００００００）である。この８ビットは、１０進表記では、「６４」の値となる。サブコーディング部の後に３ビットのマージンビットを介して位置する情報ビットが００ｈの例が示されている。
【００５２】
このようにして、情報データの変調信号が被覆膜のピットの有無として記録された光ディスクに対して、同一の変調方式で変調された追記情報を記録することができる。追記情報としてディスク１枚ごとに異なったデータを記録することにより、光ディスクの識別情報として読み出すことが可能となる。また、追記が行なわれた製品の光ディスクは、従来のＥＦＭ変調に対応する再生機において、情報データの変調信号とともに追記情報の変調信号を再生することができる。このように、個別識別情報読み出しのための特殊な回路を再生機に設ける必要なく、個別識別情報を再生することができる。
【００５３】
上述した説明では、情報データのＥＦＭデータに無変調区間を挿入しているが、無変調区間の代わりにサーボ専用の変調が施されるサーボ専用変調区間を用いることもできる。この場合では、追記関連情報４１０は、変調信号データパターンの任意の区間に挿入するサーボ専用の変調が施された変調区間を指定する情報であり、変調信号送出装置１００の変調情報生成部１２０は、追記関連情報に応じて変調信号データパターンの一部をサーボ専用のサーボ専用変調区間とした変調信号データを生成し、追記装置２００の追記制御部２２０は、追記関連情報に基づきサーボ専用変調区間に前記追記情報の変調信号を追記する制御を行なう。また、サーボ専用変調区間の変調信号の強度は、追記装置２００によって追記が施された記録済み光ディスクの読み取りが可能な強度範囲内となるように設定される。
【００５４】
次に、この発明による第２の追記情報記録方法を説明する。第２の記録方法では、変調信号送出装置において情報データを変調したＥＦＭ信号が生成され、ＥＦＭ信号が記録された光ディスクがマスタリング工程および成形成膜工程によって製作され、追記装置において変調信号送出装置が生成したＥＦＭデータを参照して任意の区間に追記情報が記録される。
【００５５】
第４図は、この発明に係る第２の追記情報記録方法を説明するものである。
【００５６】
変調信号送出装置１００では、情報データにＥＦＭ変調を施して、ＥＦＭデータを生成し、追記装置２００へ送る。追記装置２００では、変調情報記憶部２１０にこのＥＦＭデータパターンを記憶しておく。変調信号送出装置１００からは従来と同様の処理で生成されたＥＦＭ信号が出力され、光ディスク原盤３２０が生成される。この光ディスク原盤３２０によって作成された記録済み光ディスク３４０のピットが第４図の長円で表された部分に相当する。
【００５７】
追記装置２００の追記制御部２２０では、変調情報記憶部２１０に保存されたＥＦＭデータパターンを参照し、追記情報４２０の変調信号を記録する領域を算出する。領域を算出する方法は、任意であるが、追記情報４２０の変調信号を追記した場合であってもＥＦＭのランレングスの制約条件が破綻しない領域が選ばれる。
【００５８】
第４図の例では、マージンビット（３チャンネルビット）、情報ビット（１４チャンネルビット）、マージンビット（３チャンネルビット）、情報ビット（１４チャンネルビット）の区間が示され、チャンネルビットのパターンが（００００１００１０００１０００００）を繰り返す区間が示されている。すなわち、４Ｔ＝０、３Ｔ＝１、４Ｔ＝０、６Ｔ＝１（Ｔは１チャンネルクロックを表し、４Ｔ＝０とは０が４Ｔ区間連続することを表すとする）が繰り返す区間が選択される。
【００５９】
そして、３Ｔ＝１の後ろ側に追記を行うことによって、３Ｔ＝１、４Ｔ＝０の部分を４Ｔ＝１、３Ｔ＝０に変更している。すなわち、長円で表された３Ｔのピットに斜線で表されたピットを追記することにより、４Ｔのピットを形成している。これにより、情報ビット＝０のＥＦＭ信号が情報ビット＝１９２（１４チャンネルビットパターン＝０１０００１００１０００００）に変更される。この追記されたＥＦＭ信号は、再生装置側で正常に読み出すことが可能である。再生側の装置では、どの区間に追記情報４２０が挿入されたかという情報に基づき、情報データと追記情報４２０とをともに得ることができる。
【００６０】
このように、この発明によれば、従来のフォーマットで記録が行なわれた光ディスクに対して情報を追記することができる。
【００６１】
また、説明では、変調信号送出装置１００側で特に処理を行なわないとしたが、予め追記情報４２０を記録する条件あるいは区間等の追記関連情報４１０を変調信号送出装置１００に設定しておくこともできる。これにより、変調信号送出装置１００の変調情報生成部１２０は、追記関連情報４１０、すなわち後で追記が行なわれる区間の情報データについての変調時には、追記されることを考慮したＥＦＭデータパターンを選択することができる。追記装置２００側も、追記関連情報４１０に基づき、追記情報４２０の追記処理を行なう。
【００６２】
次に、上述したように、データを変更して追記情報を記録する追記情報記録方法が可能な元のＥＦＭデータパターンの例について説明する。第５図は、この発明に係る第２の追記情報記録方法が適用可能なデータの他の例を示す。
【００６３】
追記装置２００では、高出力のレーザ光を照射してランド部にピットを形成することにより追記情報４２０を記録する。ここでは、追記装置２００は、このようなＥＦＭ信号データパターンに応じて光ディスク３４０に形成されるピット領域およびランド領域から成るＥＦＭデータ区間のランド領域に高出力レーザ光を照射して１つのピット領域に変換する。ＥＦＭでは、ピット領域あるいはランド領域は３Ｔから１１Ｔの間でなければならないため、追記情報４２０が記録できる元のＥＦＭデータパターンは、３Ｔ、４Ｔまたは５Ｔのピット領域、３Ｔ、４Ｔまたは５Ｔのランド領域、３Ｔ、４Ｔまたは５Ｔのピット領域という並びで、かつ、ピット領域、ランド領域およびピット領域の和が１１Ｔ以下となるようなデータパターンとなる。追記装置２００では、このような並びのＥＦＭデータパターンのランド領域に高出力のレーザ光を照射し、全体が１つのピットとなるようにＥＦＭデータパターンを変更する。具体的には、このような変更が可能な元のＥＦＭデータパターンには、次の１０パターンがあり、それぞれ以下のように書き換えることができる。
【００６４】
（１）３Ｔピット領域、３Ｔランド領域、３Ｔピット領域のＥＦＭデータパターンを９Ｔピットにする。
（２）４Ｔピット領域、３Ｔランド領域、３Ｔピット領域のＥＦＭデータパターンを１０Ｔピットにする。
（３）５Ｔピット領域、３Ｔランド領域、３Ｔピット領域のＥＦＭデータパターンを１１Ｔピットにする。
（４）３Ｔピット領域、４Ｔランド領域、３Ｔピット領域のＥＦＭデータパターンを１０Ｔピットにする。
（５）４Ｔピット領域、４Ｔランド領域、３Ｔピット領域のＥＦＭデータパターンを１１Ｔピットにする。
（６）３Ｔピット領域、５Ｔランド領域、３Ｔピット領域のＥＦＭデータパターンを１１Ｔピットにする。
（７）３Ｔピット領域、３Ｔランド領域、４Ｔピット領域のＥＦＭデータパターンを１０Ｔピットにする。
（８）４Ｔピット領域、３Ｔランド領域、４Ｔピット領域のＥＦＭデータパターンを１１Ｔピットにする。
（９）３Ｔピット領域、４Ｔランド領域、４Ｔピット領域のＥＦＭデータパターンを１１Ｔピットにする。
（１０）３Ｔピット領域、３Ｔランド領域、５Ｔピット領域のＥＰＭデータパターンを１１Ｔピットにする。
【００６５】
第５図の例では、長円で表された３Ｔピット領域、３Ｔランド領域および４Ｔピット領域からなる部分で、３Ｔのランド領域に対して追記装置２００によって追記を行なうことにより、１０Ｔのピットを形成している。
【００６６】
次に、この発明による第３の追記情報記録方法について説明する。第３の追記情報記録方法は、第２の追記情報記録方法と同様に、変調信号送出装置１００において情報データを変調したＥＦＭ信号を生成して光ディスク３４０を製作し、追記装置２００において変調信号送出装置１００が生成したＥＦＭデータパターンを参照し、追記情報４２０に応じて任意の区間のＥＦＭ信号にエラーが発生するように記録を行なうものである。
【００６７】
第６図は、この発明に係る第３の追記情報記録方法を説明するための図である。
【００６８】
変調信号送出装置１００では、再生された情報データにＥＦＭ変調を施して、ＥＦＭデータパターンを生成し、追記装置２００へ送る。追記装置２００では、変調情報記憶部２１０にこのＥＦＭデータパターンを記憶しておく。変調信号送出装置１００からは従来と同様の処理で生成されたＥＦＭ信号が出力され、光ディスク原盤３２０が生成される。この光ディスク原盤３２０より作成された光ディスク３４０のピットが第６図の長円で表された部分に相当する。追記装置２００の追記制御部２２０では、変調情報記憶部２１０に保存されたＥＦＭデータを参照し、予め決められた区間でエラーが発生するように追記を行なう。この区間は、任意であり、連続した区間であっても、所定の条件に応じて選択される区間であってもよい。
【００６９】
第６図の例では、情報ビットが「０」であるため、ＥＦＭ変調された結果、４Ｔ＝０、３Ｔ＝１、４Ｔ＝０、６Ｔ＝１の情報ビット区間が形成される。この情報ビット区間内の４Ｔ＝０部分に追記を行なって、１Ｔ＝０、２Ｔ＝１、１Ｔ＝０としている。すなわち、３Ｔ＝１と６Ｔ＝１にそれぞれ対応するピットの間の４Ｔ＝０に相当するランドに、斜線で示された２Ｔ＝１に相当するピットを追記する。
【００７０】
上述したように、ＥＦＭは、Ｔｍｉｎ＝３Ｔ、Ｔｍａｘ＝１１Ｔの条件を満たすものと定められているため、反転間隔が１Ｔ，２Ｔ，１ＴとなることによってＥＦＭエラーが発生する。追記制御部２２０では、予め決められた複数の区間において、追記情報４２０に応じてエラーを発生させるか否かを判断し、追記を制御する。すなわち、再生装置側では、ある所定の区間において、エラーが発生したか否かを検出して、追記情報４２０を取得する。例えば、エラーが発生した場合を１、エラーが発生しなかった場合を０と決めておき、エラーの有無により追記情報４２０を再生する。
【００７１】
また、説明では、ＥＦＭエラーを発生させる場合で説明したが、どのような種類のエラーを発生させてもよい。例えば、ある区間の誤り訂正符号によるエラーが発生するように追記を行なうとすることもできる。このように、この発明によれば、従来の規格で記録が行なわれた光ディスクにも追記情報を記録することができる。
【００７２】
次に、この発明による第４の追記情報記録方法について説明する。第４の追記情報記録方法では、変調信号送出装置１００において情報データの変調時にＥＦＭ信号の任意の区間にＥＦＭエラーが発生するようなＥＦＭ信号が生成され、ＥＦＭ信号が記録された光ディスク３４０が製作され、追記装置２００において変調信号送出装置１００が生成したＥＦＭデータを参照し、追記情報４２０に応じて任意の区間のエラーを正しく戻すように記録が行なわれ、それによって光ディスク３５０が製作される。
【００７３】
第７図は、この発明に係る第４の追記情報記録方法を説明するための図である。
【００７４】
この記録方法では、変調信号送出装置１００側に、予め追記情報４２０を記録する条件あるいは区間等の追記関連情報４１０が変調信号送出装置１００に設定される。変調信号送出装置１００の変調情報生成部１２０は、追記関連情報４１０、すなわち追記が行なわれる区間の情報データについての変調時には、ＥＦＭデータの一部に空白区間（ピットが形成されない区間）を設けるとともに、ＥＦＭエラーが発生するようにＥＦＭデータを生成する。第７図の例では、８Ｔ＝０の空白区間の後ろに２Ｔ＝１の区間を設定して、ＥＦＭエラーが発生するようなＥＦＭ信号が生成される。このＥＦＭ信号に基づいて光ディスク原盤３２０が生成され、この光ディスク原盤３２０より光ディスク３４０が作成される。光ディスク３４０上では、２Ｔ＝１に対応するピットが形成される。
【００７５】
追記装置２００では、追記関連情報４１０を参照し、追記情報４２０に応じてＥＦＭエラーが修正されるように追記を行なう。第７図の例では、２Ｔ＝１を形成するピットの前に、斜線で示すように、４Ｔの区間でピットを追記し、２Ｔ＝１を６Ｔ＝１に変更している。これにより、ＥＦＭエラーが修正される。追記制御部２２０では、予め成形された複数のエラー区間において、追記情報４２０に応じてＥＦＭエラーを修正するか否かを判断し、追記を制御する。すなわち、追記された光ディスク３５０を再生する再生装置では、ある所定の区間において、ＥＦＭエラーが発生したか否かを検出して、追記情報４２０を取得する。例えば、ＥＦＭエラーが修正されていない場合を追記情報の１に対応させ、ＥＦＭエラーが修正された場合を０に対応させることによって、エラーの有無により追記情報４２０を取得する。
【００７６】
次に、この発明に係る第５の追記情報記録方法について説明する。
【００７７】
第５の追記情報記録方法では、変調信号送出装置１００において、予め決められた所定の区間の情報データに相当するＥＦＭデータに予め決められた所定のデータが発生するようなＥＦＭ信号が生成され、所定のデータが記録された光ディスク３４０が製作される。追記装置２００において追記情報４２０に応じて所定のデータが記録されている任意の領域のデータを書き換えるように追記を行ない、光ディスク３５０が製作される。
【００７８】
例えば、ＣＤの信号フォーマットでは、第２図で説明したように１フレームにサブコーディングが１シンボル記録されている。９８フレームのサブコーディングが集まって、１サブコーディングブロックを形成する。第８図は、サブコーディングブロックの構成図である。８ビットのデータは、それぞれＰ、Ｑ、Ｒ、Ｓ、Ｔ、Ｕ、Ｖ、Ｗとされている。ここで、例えば、予めサブコーディングブロックのＱチャンネルデータを除くＰからＷのチャンネルのデータを全て０とし、追記情報に応じてＱチャンネルデータのみを１または０にすることによって、光ディスクに追記情報を記録することが可能となる。すなわち、ＰからＷまでの８ビットが（００００００００）の状態と、（０１００００００）の状態とを追記によって選択することができる。
【００７９】
第９図は、この発明に係る第５の追記情報記録方法を説明するための図である。
【００８０】
変調信号送出装置１００による変調後、サブコーディング部が４０ｈ（８ビットのパターンでは、（０１００００００）である）になるように情報データが予め設定される。４０ｈに対応するＥＦＭ信号の１４チャンネルビットは、（０１００１０００１００１００）となり、この１４チャンネルビットに対応してピットが光ディスク３４０に形成される。この段階でのＱチャンネルデータは、サブコーディングブロックの９６ビットが全て１となっている。
【００８１】
追記装置２００では、追記情報４２０に応じてＱチャンネルデータの９６ビットの任意のビットが０となるように追記を行なう。具体的には、３Ｔのピットとマージンビットのピットの間のランドに対してレーザビームを照射し、６Ｔのピットを形成する。追記後のＥＦＭデータは、（０１００１０００１０００００）となる。これは、８ビットのデータでは、００ｈである。すなわち、追記によってＱチャンネルデータが１から０に変更される。このようにして、Ｑチャンネルデータの９６ビットを任意のデータに設定することができ、追記情報４２０を記録することができる。特に、Ｑチャンネル以外の他のチャンネルのサブコーディングデータが変わらないで、Ｑチャンネルデータのみを変更できる。なお、４０ｈを００ｈに変更する例の他に、４７ｈを０７ｈに変更することも可能である。
【００８２】
この発明は、上述したこの発明の実施例等に限定されるものでは無く、この発明の要旨を逸脱しない範囲内で様々な変形や応用が可能である。例えば以上の説明では、成形成膜装置と追記装置とを別装置としたが、成形成膜装置内に追記装置を組み込むとすることもできる。さらに、追記装置を複数個備え、並列的に追記を行うことも可能である。また、以上の説明では、追記情報の記録として、高出力のレーザによりピットを形成するとしたが、高出力レーザにより光ディスクの面に反射率の変化をおこさせ、再生装置で光ディスクを再生したとき、ピットと同等の再生信号が得られるようにすることもできる。
【図面の簡単な説明】
【００８３】
第１図は、この発明の一実施の形態である光ディスク作成システムの構成図である。
第２図は、ＣＤの信号フォーマットを示した略線図である。
第３図は、この発明に係る第１の追記情報記録方法を説明するための略線図である。
第４図は、この発明に係る第２の追記情報記録方法を説明するための略線図である。
第５図は、この発明に係る第２の追記情報記録方法を説明するための略線図である。
第６図は、この発明に係る第３の追記情報記録方法を説明するための略線図である。
第７図は、この発明に係る第４の追記情報記録方法を説明するための略線図である。
第８図は、サブコーディングデータの構成を示す略線図である。
第９図は、この発明に係る第５の追記情報記録方法を説明するための略線図である。
第１０図は、既存の光ディスク作成システムの構成図である。
【符号の説明】
【００８４】
１００    変調信号送出装置
１１０    記録情報再生部
１２０    変調情報生成部
１３０    変調情報記憶部
１４０    変調信号出力部
２００    追記装置
２１０    変調情報記憶部
２２０    追記制御部
２３０    追記部
３１０    マスターの光ディスク
３２０    光ディスク原盤
３３０    スタンパー
３４０    記録済み光ディスク
３５０    製品の光ディスク
４１０    追記関連情報
４２０    追記情報
６００    レーザービーム・レコーダ
７００    成形成膜装置
【図１】
0003871674.tif 000002
【図２】
0003871674.tif 000003
【図３】
0003871674.tif 000004
【図４】
0003871674.tif 000005
【図５】
0003871674.tif 000006
【図６】
0003871674.tif 000007
【図７】
0003871674.tif 000008
【図８】
0003871674.tif 000009
【図９】
0003871674.tif 000010
【図１０】
0003871674.tif 000011
0003871674.tif 000012